(57)【要約】      （修正有）【課題】表裏方向の透視性や透光性をやや抑えることができる構造とすることにより、内部側が見えすぎてしまうことを防止すると共に日光の過剰な侵入をも防止できるすだれを提供する。【解決手段】すだれＳは線状体である多数の緯材１を所要間隔をおいて設けられた複数列の経糸２で織り連ねて形成されている。経糸２の任意の列２０において、各緯材１は経糸２によって表と裏を二本おきに交互に織ってあり、また、列２０と隣合う経糸２の列２１，２２においては、各緯材１は、列２０の各緯材１とは一本ずらした位置で経糸２によって表と裏を二本おきに交互に織ってあり、互いに緯材１を一本ずらした位置で経糸２によって織ってある経糸２の列２０，２１，２２が所要間隔をおいて幅方向に交互に設けられている。【選択図】図１
0003141882.tif 000002
【実用新案登録請求の範囲】
【請求項１】
線状体である多数の緯材(1)を所要間隔をおいて設けられた複数列の経糸(2)で織り連ねて形成されたすだれであって、
経糸(2)の任意の列(20)において、
各緯材(1)は、経糸(2)によって表と裏を二本おきに交互に織ってあり、
前記列(20)と隣合う経糸(2)の列(21,22)においては、
各緯材(1)は、前記列(20)とは一本ずらした位置で経糸(2)によって表と裏を二本おきに交互に織ってあり、
前記互いに緯材(1)を一本ずらした位置で経糸(2)によって織ってある経糸(2)の列(20,21,22)が所要間隔をおいて幅方向に交互に設けられている、
すだれ。
【請求項２】
線状体である多数の緯材(1)を所要間隔をおいて設けられた複数列の経糸(2)で織り連ねて形成されたすだれであって、
経糸(2)の任意の列(20)において、
各緯材(1)は、経糸(2)によって表と裏を二本おきに交互に織ってあり、
前記列(20)と隣合う経糸(2)の列(21,22)においては、
各緯材(1)は、前記経糸(2)の列(20)とは一本ずらした位置で経糸(2)によって表と裏を二本おきに交互に織ってあり、
前記互いに緯材(1)を一本ずらした位置で経糸(2)によって織ってある経糸(2)の列(20,21,22)が所要間隔をおいて幅方向に交互に設けられており、
各緯材(1)の間には、一方の経糸(2)の列(20)側が開き、他方の経糸(2)の列(21,22)側が閉じている隙間(3)が形成されている、
すだれ。
【考案の詳細な説明】
【技術分野】
【０００１】
本考案は、すだれに関するものである。更に詳しくは、通気性は十分に維持しつつ、表裏方向の透視性や透光性をやや抑えて、内部側が見えすぎてしまうことを防止すると共に日光の過剰な侵入をも防止したものに関する。
【背景技術】
【０００２】
すだれ（主に掛け簾）は、例えば家の軒先や窓辺などに吊り下げられて使用され、その通気性を利用して風を入れながら、外部側からは内部側を見えにくくするいわゆる目隠し、あるいは日光を適度に遮る日除けとしての機能を有するものである。また、すだれは、その他にも茶室や料亭等の装飾用としても広く利用されている。
従来の一般的なすだれの構造を図３に示す。図３（ａ）は一部を省略した正面図、（ｂ）はＣ−Ｃ断面図である。
【０００３】
図３に示すように、従来のすだれは、竹ひご等でつくられた多数の緯材１ｅを複数列の経糸２ｅで織り連ねて形成されている。各緯材１ｅは、経糸２ｅによって表と裏を一本おきに交互に織る一本返編みの技法で織ってある。この構造により、各緯材１ｅは互いにほぼ平行になっており、各緯材１ｅの間には、経糸２ｅの一本分の太さと同じ幅の隙間３ｅが形成されている。これら各隙間３ｅは、全長にわたりほぼ同じ幅を有している。
【考案の開示】
【考案が解決しようとする課題】
【０００４】
しかしながら、前記従来のすだれには次のような課題があった。
すなわち、各緯材の間には、経糸の一本分の太さと同じ幅の隙間が形成されており、これら各隙間は、全長にわたりほぼ同じ幅を有しているので、すだれ全体の正面視の表面積に対する各隙間の表面積の占有率が比較的高い。このため、すだれの表裏方向の透視性や透光性がよく、すだれの向こう側がよく見えたり、すだれを通して日光が入りやすかった。
【０００５】
このような性質は、使用する場所や状況によっては短所ともなり得るので、この従来のすだれと使い分けができるように、表裏方向の透視性や透光性をやや抑えることができる構造のすだれが望まれていた。なお、単純に考えて、緯材を織る経糸を細くすれば、隙間を狭くして前記課題が解消できるとも思えるが、製造側にとって経糸には素材だけでなく紡ぎ方や太さにもこだわりがあり、さらには強度の問題等も相まって、経糸を単に細くする方法では対処できない。
【０００６】
（本考案の目的）
本考案の目的は、通気性は十分に維持しつつ、表裏方向の透視性や透光性をやや抑えることができる構造とすることにより、内部側が見えすぎてしまうことを防止すると共に日光の過剰な侵入をも防止できる、すだれを提供することである。
【課題を解決するための手段】
【０００７】
上記課題を解決するために本考案が講じた手段は次のとおりである。
本考案は、線状体である多数の緯材(1)を所要間隔をおいて設けられた複数列の経糸(2)で織り連ねて形成されたすだれであって、
経糸(2)の任意の列(20)において、
各緯材(1)は、経糸(2)によって表と裏を二本おきに交互に織ってあり、
前記列(20)と隣合う経糸(2)の列(21,22)においては、
各緯材(1)は、前記列(20)とは一本ずらした位置で経糸(2)によって表と裏を二本おきに交互に織ってあり、
前記互いに緯材(1)を一本ずらした位置で経糸(2)によって織ってある経糸(2)の列(20,21,22)が所要間隔をおいて幅方向に交互に設けられている、すだれである。
【０００８】
本考案は、線状体である多数の緯材(1)を所要間隔をおいて設けられた複数列の経糸(2)で織り連ねて形成されたすだれであって、
経糸(2)の任意の列(20)において、
各緯材(1)は、経糸(2)によって表と裏を二本おきに交互に織ってあり、
前記列(20)と隣合う経糸(2)の列(21,22)においては、
各緯材(1)は、前記経糸(2)の列(20)とは一本ずらした位置で経糸(2)によって表と裏を二本おきに交互に織ってあり、
前記互いに緯材(1)を一本ずらした位置で経糸(2)によって織ってある経糸(2)の列(20,21,22)が所要間隔をおいて幅方向に交互に設けられており、
各緯材(1)の間には、一方の経糸(2)の列(20)側が開き、他方の経糸(2)の列(21,22)側が閉じている隙間(3)が形成されている、すだれである。
【０００９】
実用新案登録請求の範囲または明細書にいう「線状体」の用語は、各種細長い材料を含む意味で使用しており、具体的には、例えば竹ひご、細木、籐、合成樹脂線材（パイプを含む）、金属線材（パイプを含む）等があげられる。
【００１０】
（作用）
本考案に係るすだれは、経糸の任意の列において、各緯材は、経糸によって表と裏を二本おきに交互に織ってあり、前記列と隣合う経糸の列においては、各緯材は、前記列とは一本ずらした位置で経糸によって表と裏を二本おきに交互に織ってある。
【００１１】
これにより、各緯材の間にそれぞれ隙間が形成される。このうちの任意の隙間は、所要間隔をおいて設けられた経糸の各列の間で、一方の列側では上下に隣り合う緯材間に経糸が入ることによって経糸の太さの分だけ間が開き、他方の列側では上下に隣り合う緯材間には経糸が入らないため閉じている。
【００１２】
つまり、各隙間の正面視形状は、一方または他方の経糸の列へ向け、次第に狭まった細長いほぼ二等辺三角形状になる。これらの隙間は、すだれの長さ方向（経糸による織り方向）へ、尖った側が交互に幅方向において逆を向くように並んでいる。
【００１３】
この二等辺三角形状の隙間の大きさ（広さ）は、同じ緯材と経糸を使用することを前提とすれば、従来のすだれに形成されている全長にわたりほぼ同じ幅の隙間と比べて、理論上は１／２になる（実際上は、緯材の太さや直線度のバラツキ、経糸の太さのバラツキあるいは織りの精度等が影響して必ずしも１／２にはならない）。
【００１４】
しかも、各隙間の間にあるのが一本の緯材である点は、従来のすだれと同様であるので、本考案に係るすだれの正面視における単位面積当たりの隙間の広さは、従来のすだれと比べてほぼ１／２になる。なお、同じ緯材を使用する場合では、すだれの単位長さ当たりに使用する緯材の数は、従来のすだれと比べてやや多くなる。
【００１５】
このように、本考案に係るすだれは、正面視における単位面積当たりの隙間の広さが従来のすだれと比べてほぼ１／２になっており、通気性は十分に維持しつつ、表裏方向の透視性や透光性をやや抑えることができる構造となっている。これにより、例えばすだれを目隠し用として使用したときに、内部側が見えすぎてしまうことを防止できる。また、すだれを日除けとして使用したときにも、日光の過剰な侵入を防止できる。
【考案の効果】
【００１６】
本考案によれば、線状体である多数の緯材を所要間隔をおいて設けられた複数列の経糸で織り連ねて形成されたすだれにおいて、正面視における単位面積当たりの隙間の広さが従来のすだれと比べて小さくなっており、通気性は十分に維持しつつ、表裏方向の透視性や透光性をやや抑えることができる。
これにより、例えばすだれを目隠し用として使用したときに、内部側が見えすぎてしまうことを防止できる。また、すだれを日除けとして使用したときにも、日光の過剰な侵入を防止できる。
【考案を実施するための最良の形態】
【００１７】
本考案を図面に示した実施例に基づき詳細に説明する。
【００１８】
〔実施の形態〕
図１は本考案に係るすだれの一実施の形態を示す一部を省略した正面図、
図２はすだれの縦紐の通し方を示す断面図で、（ａ）は図１におけるＡ−Ａ断面図、（ｂ）はＢ−Ｂ断面図である。
【００１９】
すだれＳは、線状体である断面形状ほぼ円形の竹ひごでつくられた一定長さを有する多数の緯材１と、これら緯材１を連ねて織る経糸２で構成されている。経糸２は、緯材１の長さ方向（すだれＳの幅方向）に所要間隔をおいて複数列が平行に設けられている。
【００２０】
経糸２の各列における織り方は次のとおりである。
経糸２の任意の列２０において、各緯材１は、すだれＳの全長にわたり経糸２によって表と裏を二本おきに交互に織ってある（図１及び図２（ａ）参照）。
【００２１】
詳細に説明すれば（なお、説明の便宜上、各緯材１に識別のための符号１ｚ、１ａ、１ｂ、１ｃ、１ｄを付与する）、経糸２の対となる往路側と復路側の経糸２ａ、２ｂを二本の緯材１ａ、１ｂを束ねるようにそれぞれ表側と裏側に回し、続く二本の緯材１ｃ、１ｄでは、往路側と復路側の経糸２ａ、２ｂを表裏方向へ交差させて返し織りをし、前記緯材１ａ、１ｂとは表裏反対側に回すようにする。
【００２２】
また、前記経糸２の列２０と隣合う、図１において右側の経糸２の列２１においては、各緯材１は、前記経糸２の列２０とは一本ずらした位置で、すだれＳの全長にわたり経糸２によって表と裏を二本おきに交互に織ってある（図１及び図２（ｂ）参照）。
【００２３】
詳細に説明すれば、経糸２の対となる往路側と復路側の経糸２ａ、２ｂを二本の緯材１ｂ、１ｃを束ねるようにそれぞれ表側と裏側に回し、続く二本の緯材１ｄ、１ｅでは、往路側と復路側の経糸２ａ、２ｂを表裏方向へ交差させて返し織りをし、前記緯材１ｂ、１ｃとは表裏反対側に回すようにする。なお、緯材１ｂの上側の緯材１ａは、さらにその上側の緯材１ｚと束ねられている。
【００２４】
なお、前記経糸２の列２０と隣合う、図１において左側の経糸２の列２２においても緯材１（１ｚ、１ａ、１ｂ、１ｃ、１ｄ）は同様に織ってある。このように、すだれＳには、その幅方向へ、経糸２の列２０と同様の織り部と、経糸２の列２１と同様の織り部が、所要間隔をおいて必要数だけ交互に設けられている。
【００２５】
すだれＳは、前記構造を有し、各緯材１の間にそれぞれ隙間３が形成されている。任意の隙間３ａは、所要間隔をおいて設けられた経糸２の各列２０、２１（または経糸２の各列２０、２２）の間で、一方の列２０側では上下に隣り合う緯材１ｂ、１ｃ間に経糸２が入ることによって経糸２の太さの分だけ間が開き、他方の列２１側では上下に隣り合う緯材１ｂ、１ｃ間には経糸が入らないため閉じている。
【００２６】
これにより、各隙間３の正面視形状は、経糸２の各列２０、２１の間で（または経糸２の各列２０、２２の間で）、何れか一方の経糸２の列へ向けて次第に狭まった細長いほぼ二等辺三角形状になる。つまり、これらの隙間３は、すだれＳの長さ方向（経糸２による織り方向）へ、尖った側が交互に幅方向において逆を向くように並んでいる（図１参照）。
【００２７】
（作用）
図１及び図２を参照して、本実施の形態のすだれＳの作用について説明する。
すだれＳに設けられる二等辺三角形状の各隙間３の大きさ（広さ）は、同じ緯材（１と１ｅが同じ）と経糸（２と２ｅが同じ）を使用することを前提とすれば、従来のすだれに形成されている全長にわたりほぼ同じ幅の隙間３ｅと比べて、理論上は１／２になる。
しかも、各隙間３の間にあるのが一本の緯材１である点は、従来のすだれと同様であるので、本実施の形態に係るすだれＳの正面視における単位面積当たりの隙間３の広さは、従来のすだれと比べてほぼ１／２になる。
【００２８】
このように、すだれＳは、正面視における単位面積当たりの隙間３の広さが従来のすだれと比べて狭くなっており、通気性は十分に維持しつつ、表裏方向の透視性や透光性をやや抑えることができる構造となっている。
これにより、例えばすだれＳを目隠し用として使用したときに、内部側が見えすぎてしまうことを防止できる。また、すだれＳを日除けとして使用したときにも、日光の過剰な侵入を防止できる。
【００２９】
さらには、各緯材１は、それぞれすだれＳの幅方向に正面視で緩やかなジグザグ状または波形になるように通っており、すだれＳは従来にないような特徴的な意匠を有している。また、各緯材１の方向が全体に直線的でなく、または、方向が揃っていないことで視線が散らされることにより、透視性がさらに抑制される効果も期待できる。
【００３０】
なお、本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形態様が可能であるということは言うまでもない。
【図面の簡単な説明】
【００３１】
【図１】本考案に係るすだれの一実施の形態を示す一部を省略した正面図。
【図２】すだれの縦紐の通し方を示す断面図で、（ａ）は図１におけるＡ−Ａ断面図、（ｂ）はＢ−Ｂ断面図。
【図３】従来の一般的なすだれを示し、（ａ）は一部を省略した正面図、（ｂ）はＣ−Ｃ断面図。
【符号の説明】
【００３２】
Ｓ  すだれ
１  緯材
１ａ  緯材
１ｂ  緯材
１ｃ  緯材
１ｄ  緯材
１ｚ  緯材
２  経糸
２ａ、２ｂ  経糸
２０  経糸の列
２１  経糸の列
２２  経糸の列
３  隙間
３ａ  隙間
【図１】
0003141882.tif 000003
【図２】
0003141882.tif 000004
【図３】
0003141882.tif 000005